【手続補正書】
【提出日】平成20年4月21日(2008.4.21)
【手続補正１】
【補正対象書類名】明細書
【補正対象項目名】特許請求の範囲
【補正方法】変更
【補正の内容】
【特許請求の範囲】
【請求項１】
ＥＬ素子を有する画素が複数設けられた発光装置であって、
前記ＥＬ素子は、画素電極と、対向電極と、前記画素電極と前記対向電極の間に設けられたＥＬ層とを有し、
前記複数の画素は、前記ＥＬ素子の有する対向電極がライン毎に互いに接続されており、
デジタルビデオ信号によって、前記画素電極の電位が制御されていることを特徴とする発光装置。
【請求項２】
ソース信号線駆動回路と、ゲート信号線駆動回路と、対向電源線駆動回路と、画素部とを有する発光装置であって、
前記画素部は複数の画素を有しており、
前記複数の画素は、ＥＬ素子と、スイッチング用ＴＦＴと、ＥＬ駆動用ＴＦＴとをそれぞれ有し、
前記ＥＬ素子は、画素電極と、対向電極と、前記画素電極と前記対向電極の間に設けられたＥＬ層とを有し、
前記対向電源線駆動回路によって前記対向電極の電位が制御され、
前記ゲート信号線駆動回路によって前記スイッチング用ＴＦＴの駆動が制御され、
前記スイッチング用ＴＦＴによって前記ＥＬ駆動用ＴＦＴの駆動が制御され、
前記ＥＬ駆動用ＴＦＴによって前記画素電極の電位が制御されることを特徴とする発光装置。
【請求項３】
ソース信号線駆動回路と、ゲート信号線駆動回路と、対向電源線駆動回路と、画素部とを有する発光装置であって、
前記画素部は複数の画素を有しており、
前記複数の画素は、ＥＬ素子と、スイッチング用ＴＦＴと、ＥＬ駆動用ＴＦＴとをそれぞれ有し、
前記ＥＬ素子は、画素電極と、対向電極と、前記画素電極と前記対向電極の間に設けられたＥＬ層とを有し、
前記ゲート信号線駆動回路によって前記スイッチング用ＴＦＴの駆動が制御され、
前記スイッチング用ＴＦＴによって前記ＥＬ駆動用ＴＦＴの駆動が制御され、
前記ＥＬ駆動用ＴＦＴによって前記画素電極の電位が制御され、前記対向電源線駆動回路によって前記対向電極の電位が制御されることで、前記ＥＬ素子の発光する時間が制御され、階調表示が行われることを特徴とする発光装置。
【請求項４】
ソース信号線駆動回路と、ゲート信号線駆動回路と、対向電源線駆動回路と、画素部と、前記ソース信号線駆動回路に電気的に接続された複数のソース信号線と、前記ゲート信号線駆動回路に電気的に接続された複数のゲート信号線と、前記対向電源線駆動回路に電気的に接続された複数の対向電源線と、複数の電源供給線とを有する発光装置であって、
前記画素部は複数の画素を有しており、
前記複数の画素は、スイッチング用ＴＦＴと、ＥＬ駆動用ＴＦＴと、ＥＬ素子とをそれぞれ有し、
前記スイッチング用ＴＦＴが有するゲート電極は、前記複数のゲート信号線のいずれか１つと電気的に接続されており、前記スイッチング用ＴＦＴが有するソース領域とドレイン領域は、一方は前記複数のソース信号線のいずれか１つと電気的に接続され、もう一方は前記ＥＬ駆動用ＴＦＴが有するゲート電極と電気的に接続されており、
前記ＥＬ素子は、画素電極と、対向電極と、前記画素電極と前記対向電極の間に設けられたＥＬ層とを有し、
前記ＥＬ駆動用ＴＦＴが有するソース領域またはドレイン領域のいずれか一方は前記複数の電源供給線のいずれか１つに電気的に接続されており、前記ＥＬ駆動用ＴＦＴが有するソース領域またはドレイン領域のいずれか他方は前記画素電極に電気的に接続されており、
前記対向電極は前記複数の対向電源線のいずれか１つと電気的に接続されていることを特徴とする発光装置。
【請求項５】
請求項２乃至請求項４のいずれか１項において、前記画素電極が陽極であり、前記ＥＬ駆動用ＴＦＴはｐチャネル型ＴＦＴであることを特徴とする発光装置。
【請求項６】
請求項２乃至請求項４のいずれか１項において、前記画素電極が陰極であり、前記ＥＬ駆動用ＴＦＴはｎチャネル型ＴＦＴであることを特徴とする発光装置。
【請求項７】
請求項２乃至請求項６のいずれか１項において、前記画素電極と、前記ＥＬ駆動用ＴＦＴが有するソース領域またはドレイン領域のいずれか他方とは、直接、もしくは少なくとも１つの配線を介して接続されており、
前記画素電極が、前記ＥＬ駆動用ＴＦＴが有するソース領域またはドレイン領域のいずれか他方、もしくは前記少なくとも１つの配線と接続している領域の上にバンクが形成されていることを特徴とする発光装置。
【請求項８】
請求項７において、前記バンクは遮光性を有していることを特徴とする発光装置。
【請求項９】
請求項２乃至請求項８のいずれか１項において、前記スイッチング用ＴＦＴまたは前記ＥＬ駆動用ＴＦＴがトップゲート型であることを特徴とする発光装置。
【請求項１０】
請求項２乃至請求項８のいずれか１項において、前記スイッチング用ＴＦＴまたは前記ＥＬ駆動用ＴＦＴがボトムゲート型であることを特徴とする発光装置。
【請求項１１】
請求項１乃至請求項１０のいずれか１項において、前記ＥＬ層は低分子系有機物質またはポリマー系有機物質であることを特徴とする発光装置。
【請求項１２】
請求項１１において、前記低分子系有機物質は、Ａｌｑ３（トリス−８−キノリライト−アルミニウム）またはＴＰＤ（トリフェニルアミン誘導体）からなることを特徴とする発光装置。
【請求項１３】
請求項１１において、前記ポリマー系有機物質は、ＰＰＶ（ポリフェニレンビニレン）、ＰＶＫ（ポリビニルカルバゾール）またはポリカーボネートからなることを特徴とする発光装置。
【請求項１４】
請求項１乃至請求項１３のいずれか１項において、コンピューターであることを特徴とする発光装置。
【請求項１５】
請求項１乃至請求項１３のいずれか１項において、ビデオカメラであることを特徴とする発光装置。
【請求項１６】
請求項１乃至請求項１３のいずれか１項において、ＤＶＤプレーヤーであることを特徴とする発光装置。
【請求項１７】
ソース信号線駆動回路と、ゲート信号線駆動回路と、対向電源線駆動回路と、画素部とを有する発光装置の駆動方法であって、
前記画素部は複数の画素を有しており、
前記複数の画素は、ＥＬ素子と、スイッチング用ＴＦＴと、ＥＬ駆動用ＴＦＴとをそれぞれ有し、
前記ＥＬ素子は、画素電極と、対向電極と、前記画素電極と前記対向電極の間に設けられたＥＬ層とを有し、
前記対向電源線駆動回路によって前記対向電極の電位が制御され、
前記ゲート信号線駆動回路によって前記スイッチング用ＴＦＴの駆動が制御され、
前記スイッチング用ＴＦＴによって前記ＥＬ駆動用ＴＦＴの駆動が制御され、
前記ＥＬ駆動用ＴＦＴによって前記画素電極の電位が制御され、
前記画素部の各ラインの画素のそれぞれにおいて、１フレーム期間中にｎ個の表示期間Ｔｒ１、Ｔｒ２、…及びＴｒｎと、ｊ個の非表示期間Ｔｄ１、Ｔｄ２、…及びＴｄｊとが出現し、
前記ｎ個の表示期間Ｔｒ１、Ｔｒ２、…及びＴｒｎのうち任意の表示期間Ｔｒｉ（ｉ＝１、…、ｎ）は、ｎ個の書き込み期間Ｔａ１、Ｔａ２、…及びＴａｎのうち任意の書き込み期間Ｔａｉにおいてデジタルビデオ信号が前記画素部の各ラインの画素に入力され、かつ前記画素部の各ラインの画素がそれぞれ有する全ての前記ＥＬ素子の前記対向電極にオンの対向電位が与えられてから、前記ｎ個の書き込み期間Ｔａ１、Ｔａ２、…及びＴａｎのうち前記書き込み期間Ｔａｉの次に出現する書き込み期間においてデジタルビデオ信号が前記画素部の各ラインの画素に入力され、かつ前記画素部の各ラインの画素がそれぞれ有する全ての前記ＥＬ素子の前記対向電極にオンの対向電位が与えられるまで、もしくはｊ個の消去期間Ｔｅ１、Ｔｅ２、…及びＴｅｊのうち任意の消去期間Ｔｅｋ（ｋ＝１、…、ｊ）において前記画素部の各ラインの画素がそれぞれ有する全ての前記ＥＬ素子の前記対向電極にオフの対向電位が与えられるまでの期間であり、
前記ｊ個の非表示期間Ｔｄ１、Ｔｄ２、…及びＴｄｊのうち任意の非表示期間Ｔｄｋは、前記ｊ個の消去期間Ｔｅ１、Ｔｅ２、…及びＴｅｊのうち任意の消去期間Ｔｅｋにおいて前記画素部の各ラインの画素がそれぞれ有する全ての前記ＥＬ素子の前記対向電極にオフの対向電位が与えられてから、前記ｎ個の書き込み期間Ｔａ１、Ｔａ２、…及びＴａｎのうち前記消去期間Ｔｅｋの次に出現する書き込み期間においてデジタルビデオ信号が前記画素部の各ラインの画素に入力され、かつ前記画素部の各ラインの画素がそれぞれ有する全ての前記ＥＬ素子の前記対向電極にオンの対向電位が与えられるまでの期間であり、
前記ｎ個の書き込み期間Ｔａ１、Ｔａ２、…及びＴａｎのいずれか１つは、前記ｊ個の消去期間Ｔｅ１、Ｔｅ２、…及びＴｅｊのいずれか１つまたは２つと一部重なっており、
前記ｎ個の書き込み期間Ｔａ１、Ｔａ２、…及びＴａｎが全て出現した後、再び前記ｎ個の書き込み期間Ｔａ１、Ｔａ２、…及びＴａｎのいずれか１つが出現し、
前記デジタルビデオ信号によって、前記ｎ個の表示期間Ｔｒ１、Ｔｒ２、…及びＴｒｎにおいて前記ＥＬ素子が発光するか発光しないかが選択され、
前記ｎ個の表示期間Ｔｒ１、Ｔｒ２、…及びＴｒｎの長さの比は、２０：２１：…、２（ｎ−１）で表されることを特徴とする発光装置の駆動方法。
【請求項１８】
ソース信号線駆動回路と、ゲート信号線駆動回路と、対向電源線駆動回路と、画素部とを有する発光装置の駆動方法であって、
前記画素部は複数の画素を有しており、
前記複数の画素は、ＥＬ素子と、スイッチング用ＴＦＴと、ＥＬ駆動用ＴＦＴとをそれぞれ有し、
前記ＥＬ素子は、画素電極と、対向電極と、前記画素電極と前記対向電極の間に設けられたＥＬ層とを有し、
前記ゲート信号線駆動回路によって前記スイッチング用ＴＦＴの駆動が制御され、
前記スイッチング用ＴＦＴによって前記ＥＬ駆動用ＴＦＴの駆動が制御され、
前記ＥＬ駆動用ＴＦＴによって前記画素電極の電位が制御され、前記対向電源線駆動回路によって前記対向電極の電位が制御されることで、前記ＥＬ素子の発光する時間が制御され、階調表示が行われ、
前記画素部の各ラインの画素のそれぞれにおいて、１フレーム期間中にｎ個の表示期間Ｔｒ１、Ｔｒ２、…及びＴｒｎと、ｊ個の非表示期間Ｔｄ１、Ｔｄ２、…及びＴｄｊとが出現し、
前記ｎ個の表示期間Ｔｒ１、Ｔｒ２、…及びＴｒｎのうち任意の表示期間Ｔｒｉ（ｉ＝１、…、ｎ）は、ｎ個の書き込み期間Ｔａ１、Ｔａ２、…及びＴａｎのうち任意の書き込み期間Ｔａｉにおいてデジタルビデオ信号が前記画素部の各ラインの画素に入力され、かつ前記画素部の各ラインの画素がそれぞれ有する全ての前記ＥＬ素子の前記対向電極にオンの対向電位が与えられてから、前記ｎ個の書き込み期間Ｔａ１、Ｔａ２、…及びＴａｎのうち前記書き込み期間Ｔａｉの次に出現する書き込み期間においてデジタルビデオ信号が前記画素部の各ラインの画素に入力され、かつ前記画素部の各ラインの画素がそれぞれ有する全ての前記ＥＬ素子の前記対向電極にオンの対向電位が与えられるまで、もしくはｊ個の消去期間Ｔｅ１、Ｔｅ２、…及びＴｅｊのうち任意の消去期間Ｔｅｋ（ｋ＝１、…、ｊ）において前記画素部の各ラインの画素がそれぞれ有する全ての前記ＥＬ素子の前記対向電極にオフの対向電位が与えられるまでの期間であり、
前記ｊ個の非表示期間Ｔｄ１、Ｔｄ２、…及びＴｄｊのうち任意の非表示期間Ｔｄｋは、前記ｊ個の消去期間Ｔｅ１、Ｔｅ２、…及びＴｅｊのうち任意の消去期間Ｔｅｋにおいて前記画素部の各ラインの画素がそれぞれ有する全ての前記ＥＬ素子の前記対向電極にオフの対向電位が与えられてから、前記ｎ個の書き込み期間Ｔａ１、Ｔａ２、…及びＴａｎのうち前記消去期間Ｔｅｋの次に出現する書き込み期間においてデジタルビデオ信号が前記画素部の各ラインの画素に入力され、かつ前記画素部の各ラインの画素がそれぞれ有する全ての前記ＥＬ素子の前記対向電極にオンの対向電位が与えられるまでの期間であり、
前記ｎ個の書き込み期間Ｔａ１、Ｔａ２、…及びＴａｎのいずれか１つは、前記ｊ個の消去期間Ｔｅ１、Ｔｅ２、…及びＴｅｊのいずれか１つまたは２つと一部重なっており、
前記ｎ個の書き込み期間Ｔａ１、Ｔａ２、…及びＴａｎが全て出現した後、再び前記ｎ個の書き込み期間Ｔａ１、Ｔａ２、…及びＴａｎのいずれか１つが出現し、
前記デジタルビデオ信号によって、前記ｎ個の表示期間Ｔｒ１、Ｔｒ２、…及びＴｒｎにおいて前記ＥＬ素子が発光するか発光しないかが選択され、
前記ｎ個の表示期間Ｔｒ１、Ｔｒ２、…及びＴｒｎの長さの比は、２０：２１：…、２（ｎ−１）で表されることを特徴とする発光装置の駆動方法。
【請求項１９】
ソース信号線駆動回路と、ゲート信号線駆動回路と、対向電源線駆動回路と、画素部と、前記ソース信号線駆動回路に電気的に接続された複数のソース信号線と、前記ゲート信号線駆動回路に電気的に接続された複数のゲート信号線と、前記対向電源線駆動回路に電気的に接続された複数の対向電源線と、複数の電源供給線とを有する発光装置の駆動方法であって、
前記画素部は複数の画素を有しており、
前記複数の画素は、スイッチング用ＴＦＴと、ＥＬ駆動用ＴＦＴと、ＥＬ素子とをそれぞれ有し、
前記スイッチング用ＴＦＴが有するゲート電極は、前記複数のゲート信号線のいずれか１つと電気的に接続されており、前記スイッチング用ＴＦＴが有するソース領域とドレイン領域は、一方は前記複数のソース信号線のいずれか１つと電気的に接続され、もう一方は前記ＥＬ駆動用ＴＦＴが有するゲート電極と電気的に接続されており、
前記ＥＬ素子は、画素電極と、対向電極と、前記画素電極と前記対向電極の間に設けられたＥＬ層とを有し、
前記ＥＬ駆動用ＴＦＴが有するソース領域またはドレイン領域のいずれか一方は前記複数の電源供給線のいずれか１つに電気的に接続されており、前記ＥＬ駆動用ＴＦＴが有するソース領域またはドレイン領域のいずれか他方は前記画素電極に電気的に接続されており、
前記対向電極は前記複数の対向電源線のいずれか１つと電気的に接続され、
前記画素部の各ラインの画素のそれぞれにおいて、１フレーム期間中にｎ個の表示期間Ｔｒ１、Ｔｒ２、…及びＴｒｎと、ｊ個の非表示期間Ｔｄ１、Ｔｄ２、…及びＴｄｊとが出現し、
前記ｎ個の表示期間Ｔｒ１、Ｔｒ２、…及びＴｒｎのうち任意の表示期間Ｔｒｉ（ｉ＝１、…、ｎ）は、ｎ個の書き込み期間Ｔａ１、Ｔａ２、…及びＴａｎのうち任意の書き込み期間Ｔａｉにおいてデジタルビデオ信号が前記画素部の各ラインの画素に入力され、かつ前記画素部の各ラインの画素がそれぞれ有する全ての前記ＥＬ素子の前記対向電極にオンの対向電位が与えられてから、前記ｎ個の書き込み期間Ｔａ１、Ｔａ２、…及びＴａｎのうち前記書き込み期間Ｔａｉの次に出現する書き込み期間においてデジタルビデオ信号が前記画素部の各ラインの画素に入力され、かつ前記画素部の各ラインの画素がそれぞれ有する全ての前記ＥＬ素子の前記対向電極にオンの対向電位が与えられるまで、もしくはｊ個の消去期間Ｔｅ１、Ｔｅ２、…及びＴｅｊのうち任意の消去期間Ｔｅｋ（ｋ＝１、…、ｊ）において前記画素部の各ラインの画素がそれぞれ有する全ての前記ＥＬ素子の前記対向電極にオフの対向電位が与えられるまでの期間であり、
前記ｊ個の非表示期間Ｔｄ１、Ｔｄ２、…及びＴｄｊのうち任意の非表示期間Ｔｄｋは、前記ｊ個の消去期間Ｔｅ１、Ｔｅ２、…及びＴｅｊのうち任意の消去期間Ｔｅｋにおいて前記画素部の各ラインの画素がそれぞれ有する全ての前記ＥＬ素子の前記対向電極にオフの対向電位が与えられてから、前記ｎ個の書き込み期間Ｔａ１、Ｔａ２、…及びＴａｎのうち前記消去期間Ｔｅｋの次に出現する書き込み期間においてデジタルビデオ信号が前記画素部の各ラインの画素に入力され、かつ前記画素部の各ラインの画素がそれぞれ有する全ての前記ＥＬ素子の前記対向電極にオンの対向電位が与えられるまでの期間であり、
前記ｎ個の書き込み期間Ｔａ１、Ｔａ２、…及びＴａｎのいずれか１つは、前記ｊ個の消去期間Ｔｅ１、Ｔｅ２、…及びＴｅｊのいずれか１つまたは２つと一部重なっており、
前記ｎ個の書き込み期間Ｔａ１、Ｔａ２、…及びＴａｎが全て出現した後、再び前記ｎ個の書き込み期間Ｔａ１、Ｔａ２、…及びＴａｎのいずれか１つが出現し、
前記デジタルビデオ信号によって、前記ｎ個の表示期間Ｔｒ１、Ｔｒ２、…及びＴｒｎにおいて前記ＥＬ素子が発光するか発光しないかが選択され、
前記ｎ個の表示期間Ｔｒ１、Ｔｒ２、…及びＴｒｎの長さの比は、２０：２１：…、２（ｎ−１）で表されることを特徴とする発光装置の駆動方法。
【請求項２０】
請求項１７乃至請求項１９のいずれか１項において、前記非表示期間Ｔｄ１、Ｔｄ２、…、Ｔｄｊのうち一番長い非表示期間が、フレーム期間中において最後に出現することを特徴とする発光装置の駆動方法。
【請求項２１】
請求項１７乃至請求項２０のいずれか１項において、前記書き込み期間Ｔａ１、Ｔａ２、…、Ｔａｎは互いに重なっていないことを特徴とする発光装置の駆動方法。
【請求項２２】
請求項１７乃至請求項２１のいずれか１項において、前記消去期間Ｔｅ１、Ｔｅ２、…、Ｔｅｊは互いに重なっていないことを特徴とする発光装置の駆動方法。
【請求項２３】
請求項１７乃至請求項２２のいずれか１項において、前記ＥＬ駆動用ＴＦＴは線形領域で駆動することを特徴とする発光装置の駆動方法。